(57)【要約】【課題】ストロボを用いた写真撮影の結果を、撮影前に推定することが出来、撮影条件の設定を容易にする撮像システムを提供すること。【解決手段】撮像指示信号に対応して撮影可能な撮像素子（１３０）と、撮像指示信号に連動して照射光を投光するストロボ（２０）と、撮影画面内の輝度分布を測定する測光手段（ＡＥセンサ：１３１）と、前記測光手段（１３１）の測定結果を音声に変換する音響装置（音響情報制御器１４６）を備え、前記音響装置（１９０）は、前記測光手段（１３１）によって測定された画面中央からの上下左右方向の輝度分布に対応して、撮影者の上下左右方向に音響情報を定位させることことを特徴とする構成とした。【選択図】  図７
2019200267.tif 000002
【特許請求の範囲】
【請求項１】
撮像指示信号に対応して撮影可能な撮像素子（１３０）と、
撮像指示信号に連動して照射光を投光するストロボ（２０）と、
撮影画面内の輝度分布を測定する測光手段（ＡＥセンサ：１３１）と、
前記測光手段（１３１）の測定結果を音声に変換する音響装置（音響情報制御器１４６）を備え、
前記音響装置（１９０）は、前記測光手段（１３１）によって測定された
撮影画面内の上下左右方向の輝度分布に対応して、
撮影者の上下左右方向に音響情報を定位させること
を特徴とする撮像システム。
【請求項２】
前記測光手段（測光演算器：１３１）は、撮影画面内において、
前記ストロボ（２０）の照射光による
前記被写体（５０１）の定常光からの輝度変化を測定すること
を特徴とする請求項１に記載の撮像システム。
【請求項３】
前記測光手段（測光演算器：１３１）は、撮影画面内において、
前記ストロボ（２０）の照射光を投光した際の
前記被写体（５０１）の輝度を測定すること
を特徴とする請求項１に記載の撮像システム。
【請求項４】
前記測光手段（１３１）が、前記ストロボ（２０）の照射光によって
前記被写体（５０１）が前記撮像素子で撮影可能な露光量を越えると測定した時は、
前記音響装置（１４６）は、露光量が撮影可能な範囲にある場合とは
異なった音を音声に変換すること
を特徴とする、請求項１乃至３のいずれか１項に記載の撮像システム。
【発明の詳細な説明】
【技術分野】
【０００１】
本発明は、撮像システムに関し、特にストロボ光を用いたカメラでの撮影における、ストロボ光の照射範囲を推定する技術に関するものである。
【背景技術】
【０００２】
従来のストロボを用いた写真撮影においては、被写体へ照射されるストロボ光が、どの程度の明るさで被写体を照明するか、また、どこまで照射されるストロボ光は到達するのか、を事前に確認することは困難であり、実際に撮影結果を確認するまでは知ることが出来なかった。 
【０００３】
特に、カメラから離れた位置にストロボを配置し撮影時に発光させる、いわゆるオフカメラストロボを使用した撮影や、複数のオフカメラストロボを組み合わせて発光させる多灯ライティング、定常光とストロボ発光を組み合わせた撮影においては、各種の光源が複雑に組み合わさって撮影時の露出が決定される。そのため、適切な撮影結果を得るためには、ストロボの配置や発光量の設定を試行錯誤して決定する必要があり、非常に時間を要し、また習熟を要する作業であった。 
【０００４】
一方で、従来から、周囲環境に存在する対象物の位置や種類などを、音声や報知音、旋律を用いた聴覚情報によって検知することを可能にする技術である、可聴化技術が各分野で提案されており、撮影を補助する可聴化技術も開示されている。例えば、特許文献１では画像のヒストグラムからピーク値を検出し、ピーク値に対応する音を出力する技術が開示されている。
【０００５】
また、特許文献2では、ストロボが発光したとき、発光したことを示す報知音をスピーカーから出力し、ストロボ１６の光が被写体に到達すると判定した場合と、被写体に到達しないと判定した場合でスピーカーから、異なる報知音を出力する技術が開示されている。
【先行技術文献】
【特許文献】
【０００６】
【特許文献１】特開２００９−２５７６３号公報
【特許文献２】特開２００５−３７７９０号公報
【発明の概要】
【発明が解決しようとする課題】
【０００７】
しかしながら、上述の特許文献１に開示された従来技術は、ピーク値のみを音声化する技術であり、また特許文献２に開示された従来技術は、照射光の到達有無を単一音で示している。
【０００８】
そのため、従来技術による音の提示では、撮影後の被写体の露光状況を想定するのは困難であるという課題があった。
【課題を解決するための手段】
【０００９】
したがって、上記目的を達成するために、本発明は、
撮像指示信号に対応して撮影可能な撮像素子（１３０）と、
撮像指示信号に連動して照射光を投光するストロボ（２０）と、
撮影画面内の輝度分布を測定する測光手段（測光演算器：１３１）と、
前記測光手段（１３２）の測定結果を音声に変換する音響装置（１４６）を備え、
前記音響装置（１４６）は、
前記測光手段（１３１）によって測定された、
撮影画面内の上下左右方向の輝度分布に対応して、
撮影者の上下左右方向に音響情報を定位させることを特徴とする。
【発明の効果】
【００１０】
本発明によれば、ストロボを用いた撮影の結果を、提示される立体音響情報によって撮影前に推定することが出来、撮影条件の設定を容易にすることが可能となる。
【図面の簡単な説明】
【００１１】
【図１】本発明の一実施例に係るデジタルカメラの構成を示す模式図
【図２】本発明の一実施例に係るストロボ２０の構成を示す模式図
【図３】本発明の第１の実施例における立体音響情報提示の模式図
【図４】本発明の第１の実施例における立体音響情報提示の模式図
【図５】本発明の第１の実施例における立体音響情報提示の模式図
【図６】本発明の第１の実施例における立体音響情報提示の模式図
【図７】本発明の第２の実施例における立体音響情報提示の模式図
【発明を実施するための形態】
【００１２】
＜カメラ全体説明＞
以下に、本発明の好ましい実施の形態を添付の図面に基づいて詳細に説明する。
【００１３】
図１は、本発明を実施した撮像装置の一例としての、デジタルカメラ本体１０１およびレンズ３０１の構成を示す模式図である。以下ではカメラの構成部品と主なカメラ撮影動作について説明する。光を結像させる光学系であるレンズユニット３０１の、撮像レンズ３０２を透過した光束は、カメラ本体１０１内のシャッターユニット１５０を通過して、撮像素子１３０へと導かれる。
【００１４】
撮像素子１３０はマトリクス状に配設された光電変換素子からなる画像センサであり、レンズユニット２０１からの光を受光して画像を撮像する。撮像素子１３０で露光された光束は、電気信号に変換される。変換された電気信号からなる撮像情報は、システム制御部１４０で画像処理や補正処理、記録画像への変換処理が行われる。
【００１５】
撮影者が不図示のレリーズボタンを操作し、撮像指示信号が出力されると、撮像素子１３０は光電変換素子のリセット操作を行い、電荷の蓄積を開始する。所定時間だけ撮像素子が露光した後、シャッターユニット１５０が撮像素子を遮光して、撮像素子１３０の蓄積した電荷を読み出し、電気信号に変換する撮像動作を行う。
【００１６】
システム制御部１４０で処理された撮像情報は、内蔵メモリ１４４や外部メモリーカードからなる記録装置１４５へ記録される。システム制御部１４０には電源制御部１４２による制御に従い、バッテリーからなる電源１４１から電力が供給される。また、撮影情報やカメラ本体１０１の各種設定状態、撮像素子１３０が受光していた画像のライブビュー画像は、ＬＣＤ（液晶表示器）モニターで構成された外部表示部１４３に表示される。撮影者は外部表示部１４３に表示される撮像素子１３０の像を確認しながら、構図や露出を調整する。
【００１７】
レンズユニット３０１は、入射光束を撮像素子１３０に結像させ、また各種の光学収差を補正する撮像レンズ３０２と、レンズの開口を調整する絞り３０３から構成される絞りユニット、また撮像レンズ３０２のフォーカスを調整する不図示のフォーカスユニットで構成される。フォーカスユニットはシステム制御部１４０からの指令によって不図示のアクチュエータによって駆動し、撮像素子１３０への入射光のピント状態を調整して被写体にピントを合わせることが出来る。また、フォーカスユニットは、レンズユニット３０１に設けられたフォーカス調整手段であるピントリング３０４を操作することでもピント状態を調整することができる。
【００１８】
撮像素子１３０のライブビュー画像情報は、撮影時の露出を自動的に決定するいわゆるＡＥ（自動露出）のために、測光手段である測光演算器１３１に送られる。測光演算器１３１は撮影画面内の輝度分布を測定および分析し、撮影に適切な露出設定を示す、露出情報を計算する。また、測光演算器１３１は、ストロボを撮影前にあらかじめ一定光量でプリ発光させ、照射光を投光した際の、撮影画面内の輝度分布を分析することも可能である。そのため、定常光との差異を測定し、ストロボの照射光による定常光からの輝度変化を計算してストロボの発光量を決定する、いわゆるＴＴＬ調光を行う機能を有している。
【００１９】
また、撮像素子１３０のライブビュー画像情報は距離情報演算器１３２へも送られる。距離情報演算器１３２へは、撮像レンズ３０２のピント位置を示す情報も送られる。距離情報演算器１３２は、撮像素子１３０に埋め込まれた不図示の位相差測距用画素の情報や、画面内のコントラスト情報、撮像レンズ３０２のピント位置情報を分析し、撮影時のピント位置を決定し、また、カメラ本体１０１から画面内の被写体がどれだけ離れているか、また画面内の被写体がピント位置からどれだけ離れた位置にあるかを示す、いわゆる画面のデフォーカス情報を計算する。
【００２０】
音響装置としての音響情報制御器１４６では、撮像素子１３０で取得され、測光演算器１３１で計算された輝度分布、露出情報および調光情報と、距離情報演算器１３２によって計算された画面のデフォーカス情報を用いて、撮影画面内の輝度分布に関する情報が音声をはじめとする音響情報へと変換される。音響情報制御器１４６は、画像の輝度分布やデフォーカス情報をもとに、各被写体の輝度に対応した音や旋律が、二次元ないしは三次元内の特定の箇所に仮想音源が設定され、そこから音や旋律が鳴っているように模擬された立体音響情報を生成する。
【００２１】
生成された立体音響情報は、カメラ本体１０１に接続された音響出力装置としてのヘッドホン１９０に出力される。音響出力装置ヘッドホン以外にもイヤホンやスピーカーでも構わず、立体音響を再生可能な音響出力装置であればどのような形式でも構わない。カメラ本体１０１には、アクセサリーシューに設けられた電気接点や、いわゆるシンクロターミナルや、無線を用いて外部の機器と情報を通信する、外部機器通信部１７０が設けられている。カメラ本体１０１の外部機器通信部１７０は外部の機器である、例えばストロボ２０と通信を行う。
【００２２】
システム制御部１４０は外部機器通信部１７０を経由して、ストロボ２０の照射角、発光量の設定情報を受け取り、測光演算器１３１の露出情報、調光情報をもとにストロボの発光量を決定する。システム制御部１４０はまた、外部機器通信部１７０を通してストロボ２０へ発光量を指示し、発光タイミングの制御信号を出す。
【００２３】
次に図２をもちいて、第１の実施例でカメラ本体１０１と連動して動作する、ストロボ２０の構成を説明する。図２は、ストロボ２０の構成を記した詳細図である。ストロボ２０は本体部２０１とヘッド部２０２に分かれている。本体部２０１に対してヘッド部２０２は回動可能である。本体部２０１は、ヘッド部２０２の回動方向を検知するヘッド方向センサ２０７、ストロボの駆動や発光を制御するストロボ演算装置２０８、アクセサリーシュー２１０、および、外部機器と通信を行う通信部２０９で構成されている。
【００２４】
また、ヘッド部２０２は、キセノン管と反射傘で構成された発光部２０３、発光部２０３から照射された光を被写体方向へ集光または拡散させるフレネルレンズ２０４、発光部２０３とフレネルレンズ２０４の相対距離を変化させ、照射角度を調整するズームユニット２０５と、ズームユニット２０５に取り付けられ照射角度を検知するズームセンサ２０６で構成されている。
【００２５】
ストロボ２０は、撮影者がストロボ本体２０１を直接操作するか、または本体１０への操作による指令信号を受けることで、発光部２０３の照射角度、発光部２０３の発光量、ヘッド部２０２のヘッド方向を調整することが出来る。照射角度はズームセンサ２０６で、ヘッド方向はヘッド方向センサ２０７で検知され、ストロボ演算装置２０８に情報が格納される。発光量はストロボ演算装置２０８から直接制御される。
【００２６】
通信部２０９は、アクセサリーシュー２１０の接点、光信号、無線通信を用いて、ストロボ２０が発光する際の照射角度、発光量、ヘッド方向の情報を他のストロボやカメラ本体１０１と通信する。カメラ本体１０１から出力された信号も、通信部２０９を経由してストロボ演算装置２０８へ伝達され、相互に必要な情報がやりとりされる。ストロボ２０は、撮影者の撮像指示信号によって、通信部２０９を経由してカメラ本体１０１と露光タイミングを通信し、撮像素子１３０の露光にあわせて発光部２０３が発光し、照射光を投光できるように、発光部２０３の発光タイミングを調整する。
【００２７】
[発光情報を音響情報に変換する方法]
以下、図３から図６を参照して、本発明の第1の実施例による、ストロボを用いた写真撮影の結果を立体音響情報に変換して提示する方法について詳細に説明する。
【００２８】
[パターン１：定常光を音響情報に入れる場合]
<定常光の状態>
図３（ａ）および図３（ｂ）は、撮影者がカメラ本体１０１を被写体５０１に向けて撮影している様子を模式的に示している。図３（ａ）はその様子をカメラ本体１０１の撮影光軸上方からみた上面図、図３（ｂ）は撮影光軸右側からみた側面図である。また、図３（ｃ）、図３（ｄ）には、カメラ本体１０１が図３（ａ）および図３（ｂ）の状態にあるとき、撮影者が装着するヘッドホン１９０に流れている立体音響情報の模式図を示している。図４から図６においても図３と同様に、（ａ）から（ｄ）は、それぞれ同一の方向からの概念図を表している。
【００２９】
図３（ａ）および図３（ｂ）において、カメラ本体１０１の前方には被写体５０１が、Ｌ１０１ａの距離をおいて位置している。このとき、被写体５０１は撮影画面上で中央下側付近に位置していることを表している。
【００３０】
撮影者が装着するヘッドホン１９０には、被写体５０１に照射されたストロボ光によって生じる、被写体５０１のストロボ光の照射によって生じる輝度変化に対応して、音響情報制御器１４６によって生成された立体音響が出力される。図３に示す状況においては、撮影者には、被写体５０１にストロボ光が照射されていないため、立体音響は流されていない。
【００３１】
<ストロボ1を付けた場合>
次に、図４に、撮影者が、カメラ本体１０１の上部にストロボ２０１を取り付け、被写体５０１に向けている様子を示す。
【００３２】
図４（ａ）および図４（ｂ）には、カメラ本体１０１およびストロボ２０１の設定において、ストロボ２０１が照射する光が到達する照射光範囲Ａ２０１が示されている。照射光範囲Ａ２０１は、次に記載する２つの方法で計算することが可能である。まず、第１の計算方法として、ストロボ２０１の照射角度、発光量、ストロボ２０１のヘッド部２０２のヘッド方向および、カメラ本体１０１の露出情報、またカメラ本体１０１またはレンズユニット３０１によって測定された、被写体距離Ｌ１０１ａによって計算することが可能である。
【００３３】
次に、第２の計算方法として、撮影者の指示によりストロボ２０１のプリ発光を行い、カメラ本体１０１がプリ発光前とプリ発光中の被写体５０１の輝度変化を測定、比較して分析することで計算することが可能である。さらには、単体露出計を用いてプリ発光時の露出変化を撮影者が測定を行い、発光情報をカメラ本体１０１に直接入力してもよく、ストロボ２０１の照射光範囲Ａ２０１を計算できる手法であれば、第１の計算方法または第２の計算方法に限られるものではない。
【００３４】
ここで、図４（ａ）および図４（ｂ）には、ストロボ２０１の照射光範囲Ａ２０１が、被写体５０１の前面上部に掛かっている様子が示されている。このとき、図４（ｃ）および図４（ｄ）に示すように、カメラ本体１０１は被写体５０１にストロボ２０１の照射光が到達するかが判断してされ、画角内で被写体５０１に光が到達する場合、その面積と位置、輝度に応じて、音響情報制御器１４６が、被写体５０１の輝度変化が撮影画面内の上下左右方向の輝度分布に対応するよう、撮影者の上下左右方向に定位した音響情報として生成する。
【００３５】
生成された立体音響情報は、撮影者からＬ１０１ｂ離れた箇所に定位している仮想音源Ｓ２０１からの立体音響情報として、撮影者の装着するヘッドホン１９０に流す。図４に示す場合、ストロボ２０１の照射光範囲Ａ２０１が被写体５０１に到達する範囲は画面中央下側のため、仮想音源Ｓ２０１も、撮影者の正面下側に定位する。
【００３６】
撮影者の仮想音源Ｓ２０１との距離Ｌ１０１ｂは、一例として適当な係数ｋ１を用いて
式１：Ｌ１０１ｂ  ＝  ｋ１  ×  Ｌ１０１ａ
と設定される。この場合、被写体５０１の遠近に応じて仮想音源Ｓ２０１の位置も変化する。また、Ｌ１０１ｂを定数として、
式２：Ｌ１０１ｂ  ＝  ｋ２
とすることも可能である。この場合は、仮想音源Ｓ２０１の分布は、撮影者の前方に二次元的に広がる。式２において、さらにｋ２＝０とすると、仮想音源Ｓ２０1は撮影者の真横または真上、真下に分布する。
【００３７】
撮影者は、ヘッドホン１９０からの立体音響情報を手がかりに、被写体５０１に照射されるストロボ２０１の照射光の状況を推定して発光量や照射方向を変化させることが可能となる。第１の計算方法においては、ストロボ２０１の照射設定を変更させたとき、変更内容に応じて、被写体５０１へ到達する照射光範囲が変更されるのに合わせて、立体音響情報も変更して撮影者に提示することが出来る。そのため、撮影者は、立体音響の変化を確認しながら、ストロボ２０１の設定を変えることが出来、好ましい撮影設定を行うことが可能となる。
【００３８】
第２の計算方法においては、カメラ本体１０１やストロボ２０１の設定を変更させたのちに、再度プリ発光を行うことで、変更後の照射光の状況が変換された立体音響情報を提示することが出来る。そのため、設定変更による照射光範囲の変化を知る時間はかかるが、第１の計算方法よりも正確に照射状況を知ることが出来る。
【００３９】
ストロボ２０１の調光設定やカメラ本体１０１の撮影設定によって、ストロボ２０１の発光量が被写体５０１の適正露出域を越えることが予想された場合は、適正露出域にあったときの立体音響とは異なった音、具体的には、例えば１オクターブあげた音や、調子やテンポを変更した旋律を撮影者に提示して、警告するようにすれば、撮影前からストロボ２０１の設定を調整することが可能となるため好ましい。
【００４０】
<オフカメラストロボを付ける場合>
つぎに、図５（ａ）から図５（ｄ）には、１からの有線、無線または光通信による指示によって発光するストロボ２０２が、カメラ本体１０１から離れた場所に、オフカメラストロボとして設置された状況の模式図を示している。オフカメラストロボとしてストロボ２０２が設置された場合も同様に、ストロボ２０２の照射光到達有無が判断され、画角内の被写体５０１に光が到達する場合、その面積と位置、輝度の情報を立体音響情報に変換する。
【００４１】
図５で示すストロボ２０２での発光の場合、被写体５０１の上部付近、すなわち撮影画面内において、右側に距離Ｌ１０１ｃ、下側にＬ１０１ｄ離れた右下側に照射光が到達している。そのため、撮影者の装着するヘッドホン１９０からは、撮影者の前方に距離Ｌ１０１ｂだけ離れた箇所から、右側に距離Ｌ１０１ｅ、下側に距離Ｌ１０１ｆだけ離れた箇所に、仮想音源Ｓ２０２が定位するように、立体音響情報が出力される。
【００４２】
被写体５０１に到達した照射光の撮影画面内の位置である距離Ｌ１０１ｃおよび距離Ｌ１０１ｄを、仮想音源Ｓ２０２の定位位置である距離Ｌ１０１ｅ、距離Ｌ１０１ｆに変換する方法は、一例として下記の式に示すように、適当な係数ｋ３、ｋ４を用いて
式３：Ｌ１０１ｅ  ＝  ｋ３  ×  Ｌ１０１ｃ
式４：Ｌ１０１ｆ  ＝  ｋ４  ×  Ｌ１０１ｄ
と出来る。ｋ３およびｋ４は定数でもよいし、レンズユニット３０１の撮影画角に応じて可変の値として設計してもよく、また撮影者やカメラによって調整可能な値としてもよい。
【００４３】
<複数のストロボを組み合わせる場合>
図６（ａ）から図６（ｄ）に、カメラ本体１０１に取り付けられたストロボ２０１と、カメラ本体１０１から離れた場所に設置され、かつ、カメラ本体１０１から有線、無線または光通信による指示によって発光するストロボ２０２がオフカメラストロボとして設置され、組み合わせて使用する状況の模式図を示している。
【００４４】
図５に示される状況においては、図６（ａ）と図６（ｂ）に示される通り、ストロボ２０１の照射光範囲Ａ２０１は、被写体５０１の正面下側に到達しており、また、ストロボ２０２の照射光範囲Ａ２０２は、被写体５０１の正面下側に到達している。この状態で撮影すると、撮影画像では被写体５０１はストロボ２０１およびストロボ２０２のどちらからも照射を受けた像が撮影される。
【００４５】
このとき、撮影者には、図３から図５で説明したのと同様、前述した第１の計算方法または第２の計算方法によって求められた、ストロボ２０１およびストロボ２０２が被写体５０１に与える照射影響を立体音響に変換された音または旋律が、それぞれ仮想音源Ｓ２０１および仮想音源２０２に仮想定位、それぞれが重畳された立体音響情報として、撮影者が装着するヘッドホン１９０に出力される。
【００４６】
撮影者は、仮想音源Ｓ２０１および仮想音源Ｓ２０２からの立体音響情報を聴くことで、被写体５０１へ複数のストロボ光を照射したときの照射光のバランス、照射位置などを撮影前に推定することが出来る。仮想音源Ｓ２０１からの立体音響情報と、仮想音源Ｓ２０２からの立体音響情報の音または旋律を同一のものとするか、異なったものとするかについてはそれぞれ長所と短所が存在する。仮想音源Ｓ２０１と仮想音源Ｓ２０２の立体音響情報を同一の音または旋律とした場合、撮影者が聴く立体音響情報は、どのストロボから照射されたかに関係なく被写体５０１にどれだけの照射光が当たるかを示していることとなる。
【００４７】
そのため、全体でどれだけの照射光が到達するかの情報をより平易に知ることができ、白トビ発生の有無や発光量不足の把握が容易となる。ただし、音色をすべて統一するため、立体音響情報音または旋律がどちらのストロボ由来かを知ることは難しい。
【００４８】
一方、仮想音源Ｓ２０１と仮想音源Ｓ２０２の立体音響情報を、それぞれ異なった音または旋律とした場合、撮影者が聴く立体音響情報は、どのストロボから照射された光が被写体５０１のどの部分に照射されるかを示していることとなる。そのため、全体としてどれだけの照射光が当たるか、白トビ発生の有無や発光量不足の把握は行いにくくなる。しかしその反面、各ストロボの照射光の強さや、発光量比を調整する調光時に、どのストロボを調整すればよいのかが、混在した音または旋律の情報をもとに容易に推定することが可能となる。
【００４９】
また、ストロボを発光グループとして組み合わせた場合、発光グループごとの発光量をそれぞれ音色や旋律を変えて重畳した立体音響情報として、撮影者のヘッドホン１９０から出力することもできる。このときは、グループごとに音または旋律を変更すると、グループごとの発光量の割合を容易に推定することが可能となる。
【００５０】
図３から図６での説明においては、音源の分布領域は半球として図示されている。実際の被写体５０１の被写体距離Ｌ１０１ａと、立体音響中での仮想音源Ｓ２０１や仮想音源Ｓ２０２の撮影者との仮想的な距離Ｌ１０１ｂをどのように変換するか、その変換の敏感度は適宜設計される。また、撮影画面内のどの位置へストロボが照射されているかの影響を示すために、撮影画面内での光軸中心からの上下左右方向の照射位置のずれ量は、同じく仮想音源の、撮影者正面からの上下左右方向のずれ量に変換されるが、照射位置のずれを撮影者との仮想的な距離Ｌ１０１ｃ、Ｌ１０１ｄにどう変換するかは、適宜設計されるものである。
【００５１】
仮想音源の分布範囲を実際の画角よりも広くとった場合は、特に標準画角から望遠画角の場合において、画面上の被写体５０１へ投稿されるストロボの照射位置変化が、より誇張された仮想音源の仮想定位位置の変化として撮影者に提示される。そのため、細かな調整での大きく仮想定位位置が変わり、微妙な調整を容易にすることが出来る。しかし、あまり変換の度合いを高くすると、例えば風による微細な揺れであっても立体音響情報の変化として提示されてしまうため、かえって撮影が行いにくくなることがある。
【００５２】
一方で、仮想音源の分布範囲を実際の画角と同一の設定とした場合、ストロボの照射位置変化が、目の前の被写体位置への仮想音源の変化としてより自然に撮影者に提示される。ただし、レンズユニット画角によっては照射位置変化による仮想音源の定位位置の変化が微細で分かりにくい場合がある。したがって、上記から、音源の分布範囲と画角の関係は、撮影者によって可変出来るようになっていることが望ましい。
【００５３】
[パターン２：定常光も音響情報に入れる場合]
以下に、第２の実施例を図７（ａ）から図７（ｄ）を用いて説明を行う。第１の実施例と共通した箇所が多いため、特に図６に示した例をもとに、第１の実施例との差分を中心に説明を行う。番号が共通する箇所は、第１の実施例と共通の要素を指示している。
【００５４】
図７（ａ）および図７（ｂ）には、図６（ａ）および図６（ｂ）と同様、カメラ本体１０１に取り付けられたストロボ２０１と、カメラ本体１０１から離れた場所に設置され、かつ、カメラ本体１０１から有線、無線または光通信による指示によって発光するストロボ２０２がオフカメラストロボとして設置された状況の模式図を示している。ストロボ２０１およびストロボ２０２が発光していない定常光状態において、画面内の輝度分布に応じて音または旋律が立体音響として生成され、定常光の仮想音源Ｓ２０４からの立体音響情報として、撮影者が装着するヘッドホン１９０から流れている。
【００５５】
第２の実施例において、画面内部の上下左右がそれぞれ撮影者前方側の半球状の空間に対応されており、被写体位置に応じた仮想音源が設定される。被写体５０１は無限遠よりも近い画面中央の下側に位置しているため、被写体位置Ｌ１０１ａに対応して、距離Ｌ１０１ｂに仮想的な音源Ｓ２０４ｂが定位し、被写体５０１の定常光輝度に対応した音が流れている。
【００５６】
このとき、画面内で明るさのあるすべての箇所に仮想音源を設定すると、撮影者が被写体５０１を示す音源位置Ｓ２０４ｂからの音を集中して聴けない場合があるため、被写体５０１からある一定距離以上離れた箇所の輝度や、撮影者が除外の指示をカメラに行った箇所または被写体については、立体音響情報として提示しない設定にしてもよい。ストロボ２０１およびストロボ２０２の発光条件を設定すると、カメラ本体１０１は、それぞれストロボ２０１の照射範囲Ａ２０１とストロボ２０２の照射範囲Ａ２０２が被写体５０１に与える影響を前述した第１の方法または第２の方法で求める。
【００５７】
そして、ストロボ２０１が被写体５０１に与える照射影響を、仮想音源Ａ２０１からの立体音響情報として、また、ストロボ２０２が被写体５０１に与える照射影響も同様に、仮想音源Ａ２０２からの立体音響情報として生成し、撮影者が装着するヘッドホン１９０に、定常光の仮想音源Ｓ２０４の立体音響情報に重畳して出力する。撮影者は、ヘッドホン１９０から流されている立体音響状態から、定常光とストロボ光が重畳された場合に、被写体への照明状態がどのようになるかを、推定することが出来る。
【００５８】
定常光の仮想音源Ｓ２０４とストロボ２０１の仮想音源Ｓ２０１、ストロボ２０２の仮想音源Ｓ２０２の立体音響情報をすべて同一の音または旋律とした場合、撮影者が聴く立体音響情報は、どの光源が照射された光かに関係なく、被写体５０１にどれだけの照射光が当たるかを示していることとなる。
【００５９】
そのため、全体でどれだけの照射光が到達するかの情報をより平易に知ることができ、白トビ発生の有無や発光量不足の把握が容易となる。ただし、音色をすべて統一するため、立体音響情報音または旋律がどちらのストロボ由来かを知ることは難しい。
【００６０】
したがって、ストロボ２０１およびストロボ２０２の仮想音源Ｓ２０１、Ｓ２０２の重畳を行うか行わないかを、撮影者が切り替えられる形態としてもよい。この切り替えによって、ストロボ光による照射影響を立体音響の変化として、実際に撮影することなくより正確に推定することが可能となる。
【００６１】
一方、定常光の仮想音源Ｓ２０４とストロボ２０１の仮想音源Ｓ２０１、ストロボ２０２の仮想音源Ｓ２０２の立体音響情報を、それぞれ異なった音または旋律とした場合、撮影者が聴く立体音響情報は、どのストロボから照射された光が被写体５０１のどの部分に照射されるか、また定常光による露出がどの程度か、を異なった音の組合せとして示していることとなる。
【００６２】
そのため、全体としてどれだけの照射光が当たるか、白トビ発生の有無や発光量不足の把握は行いにくくなる。しかしその反面、定常光とストロボ光のバランス、またストロボごとの照射光の強さや発光量比を調整する際に、どのストロボを調整すればよいのかが混在した音または旋律の情報をもとに容易に推定することが可能となる。
【００６３】
以上、本発明の好ましい実施形態について説明したが、本発明はこれらの実施形態に限定されず、その要旨の範囲内で種々の変形及び変更が可能である。
【００６４】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６５】
１０１ カメラ本体
１３０ 撮像センサ
１３１ 測光演算器（ＡＥ）
１３２ 距離情報演算器
１４０ システム制御部
１４１ 電源
１４２ 電源制御部
１４３ 外部表示部
１４４ 内蔵メモリ
１４５ 記録装置
１４６ 音響情報制御器
１５０ シャッター
１７０ 外部機器通信部
１９０ ヘッドホン
２０   ストロボ
２０１ 本体ユニット
２０２ ヘッド部
２０３ 発光部
２０４ フレネルレンズ
２０５ ズームユニット
２０６ ズームセンサ
２０７ ヘッド方向センサ
２０８ ストロボ演算装置
２０９ 通信部
２１０ アクセサリーシュー
３０１ レンズユニット
３０２ 撮像レンズ
３０３ 絞り
３０４ ピントリング
【図１】
2019200267.tif 000003
【図２】
2019200267.tif 000004
【図３】
2019200267.tif 000005
【図４】
2019200267.tif 000006
【図５】
2019200267.tif 000007
【図６】
2019200267.tif 000008
【図７】
2019200267.tif 000009